【手続補正書】
【提出日】平成24年2月13日(2012.2.13)
【手続補正１】
【補正対象書類名】明細書
【補正対象項目名】００３５
【補正方法】変更
【補正の内容】
【００３５】
前記式（１）において、Ｒ１、Ｒ２およびＲ３は、それぞれ独立に水素原子または炭素数１〜２０の１価の有機基を表す。前記１価の有機基の炭素数としては１〜１０が好ましく、１〜５がより好ましい。このような１価の有機基としては、アルキル基、アルキルエステル基、カルボキシル基などが挙げられる。これらのうち、Ｒ１およびＲ２としては水素原子、アルキルエステル基およびカルボキシル基が好ましく、水素原子が特に好ましい。また、Ｒ３としては水素原子、メチル基、アルキルエステル基およびカルボキシル基が好ましく、水素原子およびメチル基が特に好ましい。
【手続補正２】
【補正対象書類名】明細書
【補正対象項目名】００４５
【補正方法】変更
【補正の内容】
【００４５】
前記カチオン性モノマーとしては特に制限はないが、例えば、２−（（メタ）アクリロイルオキシ）エチルトリメチルアンモニウムクロリド〔（メタ）アクロイルコリンクロリド〕、２−（（メタ）アクリロイルオキシ）エチルトリメチルアンモニウムブロミド〔（メタ）アクロイルコリンブロミド〕、２−（（メタ）アクリロイルオキシ）エチルトリメチルアンモニウムヨージド、２−（（メタ）アクリロイルオキシ）エチルトリメチルアンモニウム硫酸塩、（２−（メタ）アクリルアミドエチル）トリメチルアンモニウムクロリド、（３−（メタ）アクリルアミドプロピル）トリメチルアンモニウムクロリド、（２−（メタ）アクリルアミドエチル）トリメチルアンモニウムブロミド、（３−（メタ）アクリルアミドプロピル）トリメチルアンモニウムブロミドといった第４級アンモニウム塩；
２−（（メタ）アクリロイルオキシ）エチルジメチルアミンのメチルクロライド塩、２−（（メタ）アクリロイルオキシ）エチルジメチルアミンのメチルブロマイド塩、２−（（メタ）アクリロイルオキシ）エチルジメチルアミンのベンジルクロライド塩といった第３級アミンをハロゲン化炭化水素で４級化した塩；２−（（メタ）アクリロイルオキシ）エチルジメチルアミンの硫酸塩、２−（（メタ）アクリロイルオキシ）エチルジメチルアミンの塩酸塩といった第３級アンモニウム塩が挙げられる。
【手続補正３】
【補正対象書類名】明細書
【補正対象項目名】００４９
【補正方法】変更
【補正の内容】
【００４９】
で表されるものが好ましい。前記式（３）中、Ｒ５は、炭素数１〜２０の２価の有機基を表し、Ｒ６は１価の多環芳香族含有基を表し、Ｒ７、Ｒ８およびＲ９はそれぞれ独立に水素原子または炭素数１〜２０の１価の有機基を表す。
【手続補正４】
【補正対象書類名】明細書
【補正対象項目名】００５６
【補正方法】変更
【補正の内容】
【００５６】
このようなイミド基含有構成単位を形成するために用いられるマレイミド系モノマーとしては特に制限はないが、例えば、マレイミド、Ｎ−メチルマレイミド、Ｎ−エチルマレイミド、Ｎ−ｎ−プロピルマレイミド、Ｎ−イソプロピルマレイミド、Ｎ−ｎ−ブチルマレイミド、Ｎ−イソブチルマレイミド、Ｎ−ｔｅｒｔ−ブチルマレイミド、Ｎ−ｎ−ペンチルマレイミド、Ｎ−ｎ−ヘキシルマレイミド、Ｎ−ｎ−ヘプチルマレイミド、Ｎ−ｎ−オクチルマレイミドおよびＮ−ｎ−ドデシルマレイミドといったＮ−アルキルマレイミド；Ｎ−アセチレニルマレイミドおよびＮ−プロピニルマレイミドといったＮ−アルキニルマレイミド；Ｎ−ベンジルマレイミド、Ｎ−メチルベンジルマレイミド、Ｎ−フェニルエチルマレイミド、Ｎ−ナフチルメチルマレイミド、Ｎ−ナフチルエチルマレイミドといったＮ−アラルキルマレイミド；Ｎ−シクロヘキシルマレイミドに代表されるＮ−無置換シクロアルキルマレイミド、Ｎ−メチルシクロヘキシルマレイミドに代表されるＮ−置換シクロアルキルマレイミドといったＮ−シクロアルキルマレイミド；Ｎ−フェニルマレイミド、Ｎ−ナフチルマレイミド、Ｎ−ナフタレニルマレイミド、Ｎ−ペリレニルマレイミド、Ｎ−ペンタセニルマレイミド、Ｎ−ターフェニルマレイミド、Ｎ−フェナンスレニルマレイミド、Ｎ−テトラセニルマレイミド、Ｎ−アントラセニルマレイミドおよびＮ−ピレニルマレイミドに代表されるＮ−無置換アリールマレイミド、Ｎ−トリルマレイミドおよびＮ−キシリルマレイミドに代表されるＮ−アルキル置換アリールマレイミド、Ｎ−（４−アミノフェニル）マレイミドに代表されるＮ−アミノ置換アリールマレイミド、Ｎ−アセチレニルフェニルマレイミドおよびＮ−プロピニルフェニルマレイミドに代表されるＮ−アルキニル置換アリールマレイミド、Ｎ−ビフェニルマレイミドに代表されるＮ−アリール置換アリールマレイミド、Ｎ−ｏ−クロロフェニルマレイミド、Ｎ−（２，４，６−トリクロロフェニル）マレイミド、Ｎ−ペンタフルオロフェニルマレイミドおよびＮ−テトラフルオロフェニルマレイミドに代表されるＮ−ハロゲン置換アリールマレイミドといったＮ−アリールマレイミド；Ｎ−ピリジルマレイミド、Ｎ−３−（９−アルキルカルバゾイル）マレイミドおよびＮ−（９−アクリジニル）マレイミドといった複素環で置換されたマレイミド；Ｎ，Ｎ’−１，４−フェニレンジマレイミド、Ｎ，Ｎ’−１，３−フェニレンジマレイミドおよび４，４’−ビスマレイミドジフェニルメタンといったビスマレイミド；Ｎ−フルオロマレイミド、Ｎ−クロロマレイミド、Ｎ−ブロモマレイミド、およびＮ−ヨードマレイミドといったハロゲン化マレイミド；Ｎ−アミノマレイミド、Ｎ−アセチルマレイミド、Ｎ−ヒドロキシマレイミド、Ｎ−ヒドロキシフェニルマレイミド、ｐ−カルボキシフェニルマレイミド、Ｎ−（２−カルボキシエチル）マレイミド、３−マレイミドプロピオン酸Ｎ−ヒドロキシスクシンイミド、６−マレイミドヘキサン酸Ｎ−ヒドロキシスクシンイミド、３−［２−（２−マレイミドエトキシ）エチルカルバモイル］−２，２，５，５−テトラメチル−１−ピロリジニロキシ、３−マレイミド安息香酸Ｎ−ヒドロキシスクシンイミドなどが挙げられる。これらのマレイミド系モノマーは１種を単独で使用しても２種以上を併用してもよい。また、これらのマレイミド系モノマーは、必要に応じてスルホン基やスルホンイミド基などの水溶性の置換基を有していてもよい。さらに、これらのマレイミド系モノマーの塩を使用することもできる。
【手続補正５】
【補正対象書類名】明細書
【補正対象項目名】００７７
【補正方法】変更
【補正の内容】
【００７７】
前記（ｉ）または（ｖ）の製造方法において用いられる溶媒としては特に制限はないが、例えば、水、クロロホルム、ジクロロメタン、四塩化炭素、アセトン、メチルエチルケトン、メチルイソブチルケトン、ジイソブチルケトン、酢酸メチル、酢酸エチル、酢酸プロピル、酢酸イソプロピル、酢酸ブチル、酢酸イソブチル、酢酸ペンチル、酢酸イソペンチル、酢酸アミル、テトラヒドロフラン、Ｎ−メチル−２−ピロリドン、ジメチルホルムアルデヒド、ジメチルアセトアミド、ジメチルスルホキシド、アセトニトリル、メタノール、エタノール、プロパノール、イソプロパノール、ブタノール、ヘキサノール、オクタノール、ヘキサフルオロイソプロパノール、エチレングリコール、プロピレングリコール、テトラメチレングリコール、テトラエチレングリコール、ヘキサメチレングリコール、ジエチレングリコール、ベンゼン、トルエン、キシレン、クロロベンゼン、ジクロロベンゼン、トリクロロベンゼン、クロロフェノール、フェノール、スルホラン、１，３−ジメチル−２−イミダゾリジノン、γ−ブチロラクトン、Ｎ−ジメチルピロリドン、ペンタン、ヘキサン、ネオペンタン、シクロヘキサン、ヘプタン、オクタン、イソオクタン、ノナン、デカン、ジエチルエーテルなどが挙げられる。これらの溶媒のうち、水、クロロホルム、ジクロロメタン、四塩化炭素、アセトン、テトラヒドロフラン、Ｎ−メチル−２−ピロリドン、ジメチルホルムアルデヒド、ジメチルアセトアミド、ジメチルスルホキシド、アセトニトリル、メタノール、エタノール、プロパノール、イソプロパノール、ブタノール、ヘキサノール、オクタノール、２−メトキシ−１−プロパノール、ヘキサフルオロイソプロパノール、エチレングリコール、プロピレングリコール、テトラメチレングリコール、テトラエチレングリコール、ヘキサメチレングリコール、ジエチレングリコール、Ｎ−ジメチルピロリドンがより好ましい。また、これらの溶媒は１種を単独で用いても２種以上を混合して用いてもよい。水としても特に制限はないが、硬水、軟水、イオン交換水などが好ましい。また、本発明にかかる共重合体が双性イオンモノマー単位を含む場合には、溶媒のｐＨの影響をほとんど受けることなく、ナノ構造体を良好に分散させることができる。なお、本発明においては、エポキシ樹脂などの硬化樹脂の主剤や架橋剤などの原料を溶媒として用いることもできる。
【手続補正６】
【補正対象書類名】明細書
【補正対象項目名】００８２
【補正方法】変更
【補正の内容】
【００８２】
本発明の分散液において、前記ナノ複合体の含有量としては特に制限はないが、分散液全体（１００質量％）に対して、０．０００１質量％以上が好ましく、０．００１質量％以上がより好ましく、０．００５質量％以上がさらに好ましく、０．０１質量％以上が特に好ましく、０．０２質量％以上が最も好ましい。また、ナノ複合体の含有量の上限としてはナノ複合体の分散性を維持できる限り特に制限はないが、２０質量％以下が好ましく、１８質量％以下がより好ましく、１５質量％以下がさらに好ましく、１３質量％以下が特に好ましく、１０質量％以下が最も好ましい。